(57)【要約】      （修正有）【課題】光軸方向の位置調整を起因とした角度調整時のトルク変動が生じず、調整操作性に優れたレンズ鏡筒の位置調整機構を提供する。【解決手段】押さえ部材２９とベース部材２８の結合体を光軸方向に付勢して、ベース部材２８とマウントリング３０の間の相対回転を規制するフリクションを付与する付勢部材３３；を備え、撮像光学系の光軸方向の位置調整を行うとき、可変結合手段によって、マウントリング３０に対して押さえ部材２９の光軸方向位置を変化させずにベース部材２８の光軸方向位置のみ変化させることを特徴としたレンズ鏡筒の位置調整機構。【選択図】図２
2010122658.tif 000002
【特許請求の範囲】
【請求項１】
カメラ本体部に固定されるマウントリング；
撮像光学系を支持し、上記マウントリングに対して相対回転可能かつ光軸方向に移動可能に支持されたベース部材；
上記ベース部材との間に光軸方向へ離間する対をなす対向部を形成し、該対向部の間に上記マウントリングに設けた光軸方向位置基準部を位置させる押さえ部材；
上記ベース部材と押さえ部材を、上記対をなす対向部の光軸方向間隔を調整可能に結合させる可変結合手段；
上記押さえ部材とマウントリングの間に光軸方向に弾性変形可能に挿入され、該マウントリングの光軸方向位置基準部に対して上記対をなす対向部のいずれか一方を接近させるように上記押さえ部材とベース部材の結合体を光軸方向に付勢して、上記ベース部材とマウントリングの間の上記相対回転を規制するフリクションを付与する付勢部材；
を備え、
上記撮像光学系の光軸方向の位置調整を行うとき、上記可変結合手段によって、上記マウントリングに対して上記押さえ部材の光軸方向位置を変化させずに上記ベース部材の光軸方向位置のみ変化させることを特徴とするレンズ鏡筒の位置調整機構。
【請求項２】
請求項１記載のレンズ鏡筒の位置調整において、上記可変結合手段は、
上記ベース部材と押さえ部材の間に挟持されて、上記対をなす対向部の光軸方向間隔を定めるスペーサーと；
上記ベース部材と押さえ部材の間に形成され、光軸を中心とする相対回転によって該ベース部材と押さえ部材に光軸方向の相対位置変化を生じさせるネジ螺合部と；
を有し、上記撮像光学系の光軸方向の位置調整を行うとき、上記スペーサーが占める光軸方向幅を変化させると共に、該スペーサーにおける光軸方向幅の変化に応じてネジ螺合部の螺合量を変化させることを特徴とするレンズ鏡筒の位置調整機構。
【請求項３】
請求項２記載のレンズ鏡筒の位置調整機構において、上記スペーサーと付勢部材はそれぞれ光軸を中心とした環状体からなることを特徴とするレンズ鏡筒の位置調整機構。
【請求項４】
請求項２または３記載のレンズ鏡筒の位置調整機構において、
上記マウントリングの光軸方向位置基準部は、前後に光軸直交平面を有する第１のフランジ部からなり、
上記ベース部材は、該第１のフランジ部の光軸方向前方に対向して位置する第２のフランジ部を有し、
上記押さえ部材は、
上記マウントリングの第１のフランジ部の光軸方向後面に当接する第３のフランジ部を有し、上記ベース部材に対して上記ネジ螺合部を介して支持されたマウント固定リングと；
上記マウントリングの第１のフランジ部と上記ベース部材の第２のフランジ部との間に位置する第４のフランジ部を有し、上記マウント固定リングの第３フランジ部に当接して該マウント固定リングとの光軸方向の相対位置が一定に保たれるマウントスペースリングと；
からなり、
上記ベース部材の第２のフランジ部とマウントスペースリングの第４のフランジ部の間に上記スペーサーが挟着され、上記マウントリングの第１のフランジ部とマウントスペースリングの第４のフランジ部の間に上記付勢部材が挟着され、
該付勢部材の付勢力により、ベース部材、マウントスペースリング及びマウント固定リングがマウントリングに対して光軸方向前方に向けて付勢されることを特徴とするレンズ鏡筒の位置調整機構。
【請求項５】
請求項２または３記載のレンズ鏡筒の位置調整機構において、
上記マウントリングの光軸方向位置基準部は、前後に光軸直交平面を有する第１のフランジ部からなり、
上記ベース部材は、該第１のフランジ部の光軸方向前方に対向して位置する第２のフランジ部を有し、
上記押さえ部材は、
上記マウントリングの第１のフランジ部の光軸方向後方に位置する第３のフランジ部を有し、上記ベース部材に対して上記ネジ螺合部を介して支持されたマウント固定リングと；
上記マウントリングの第１のフランジ部と上記ベース部材の第２のフランジ部との間に位置する第４のフランジ部を有し、上記マウントリングの第１のフランジ部に当接して光軸方向後方への移動が規制され、かつ上記マウント固定リングの第３のフランジ部に当接して該マウント固定リングとの光軸方向の相対位置が一定に保たれるマウントスペースリングと；
からなり、
上記ベース部材の第２のフランジ部とマウントスペースリングの第４のフランジ部の間に上記スペーサーが挟着され、上記マウントリングの第１のフランジ部とマウント固定リングの第３のフランジ部の間に上記付勢部材が挟着され、
該付勢部材の付勢力により、ベース部材、マウントスペースリング及びマウント固定リングがマウントリングに対して光軸方向後方に向けて付勢されることを特徴とするレンズ鏡筒の位置調整機構。
【請求項６】
請求項２または３記載のレンズ鏡筒の位置調整機構において、
上記マウントリングの光軸方向位置基準部は、前後に光軸直交平面を有する第１のフランジ部からなり、
上記ベース部材は、該第１のフランジ部の光軸方向前方に対向して位置する第２のフランジ部を有し、
上記押さえ部材は、上記ベース部材の第２のフランジ部の光軸方向後面に対向する第３のフランジ部と、上記マウントリングの第１のフランジ部の光軸方向後面に対向する第４のフランジ部を有し、上記ベース部材に対して上記ネジ螺合部を介して支持されたマウント固定リングからなり、
上記ベース部材の第２のフランジ部と、上記マウントリングの第１のフランジ部及び上記マウント固定リングの第３のフランジ部との間に上記スペーサーが挟着され、
上記マウントリングの第１のフランジ部と上記マウント固定リングの第４のフランジ部の間に上記付勢部材が挟着され、
該付勢部材の付勢力により、ベース部材及びマウント固定リングがマウントリングに対して光軸方向前方に向けて付勢されることを特徴とするレンズ鏡筒の位置調整機構。
【請求項７】
カメラ本体部に固定されるマウントリング；
撮像光学系を支持し、上記マウントリングに対して相対回転可能かつ光軸方向に移動可能に支持されたベース部材；
上記ベース部材に対してネジ螺合部を介して光軸方向に位置調整可能に結合され、上記マウントリングに設けた光軸方向位置基準部に対して光軸方向後方から当接するマウント固定リング；
上記マウント固定リングに当接して該マウント固定リングに対する光軸方向後方への相対移動が規制されたマウントスペースリング；
上記マウントスペースリングと上記ベース部材の間に挟着され、ベース部材に対するマウントスペースリングの光軸方向前方への相対移動を規制するスペーサー；
上記マウントスペースリングと上記マウントリングの間に光軸方向に弾性変形可能に挿入され、該マウントリングに対してマウントスペースリング、ベース部材及びマウント固定リングを光軸方向前方に付勢して、ベース部材とマウントリングの間の上記相対回転を規制するフリクションを付与する付勢部材；
を備え、
上記撮像光学系の光軸方向の位置調整を行うとき、上記スペーサーが占める光軸方向幅を変化させると共に、該スペーサーにおける光軸方向幅の変化に応じて上記ネジ螺合部の螺合量を変化させ、上記マウントリングに対する上記マウント固定リング及びマウントスペースリングの光軸方向位置を変化させずに上記ベース部材の光軸方向位置のみ変化させることを特徴とするレンズ鏡筒の位置調整機構。
【請求項８】
カメラ本体部に固定されるマウントリング；
撮像光学系を支持し、上記マウントリングに対して相対回転可能かつ光軸方向に移動可能に支持されたベース部材；
上記ベース部材に対してネジ螺合部を介して光軸方向に位置調整可能に結合されたマウント固定リング；
上記マウントリングに設けた光軸方向位置基準部に対して光軸方向前方から当接し、かつ上記マウント固定リングに当接して該マウント固定リングに対する光軸方向後方への相対移動が規制されたマウントスペースリング；
上記マウントスペースリングと上記ベース部材の間に挟着され、ベース部材に対するマウントスペースリングの光軸方向前方への相対移動を規制するスペーサー；
上記マウントリングと上記マウント固定リングの間に光軸方向に弾性変形可能に挿入され、該マウントリングに対してマウントスペースリング、ベース部材及びマウント固定リングを光軸方向後方に付勢して、ベース部材とマウントリングの間の上記相対回転を規制するフリクションを付与する付勢部材；
を備え、
上記撮像光学系の光軸方向の位置調整を行うとき、上記スペーサーが占める光軸方向幅を変化させると共に、該スペーサーにおける光軸方向幅の変化に応じて上記ネジ螺合部の螺合量を変化させ、上記マウントリングに対する上記マウント固定リング及びマウントスペースリングの光軸方向位置を変化させずに上記ベース部材の光軸方向位置のみ変化させることを特徴とするレンズ鏡筒の位置調整機構。
【請求項９】
カメラ本体部に固定されるマウントリング；
上記マウントリングに設けた光軸方向位置基準部に対して光軸方向前方から当接するスペーサー；
撮像光学系を支持し、上記マウントリングに対して相対回転可能かつ光軸方向に移動可能に支持され、上記スペーサーに対して光軸方向前方から当接するベース部材；
上記ベース部材に対してネジ螺合部を介して光軸方向に位置調整可能に結合され、上記スペーサーに対して光軸方向後方から当接するマウント固定リング；
上記マウント固定リングと上記マウントリングの間に光軸方向に弾性変形可能に挿入され、該マウントリングに対してマウント固定リング及びベース部材を光軸方向後方に付勢して、ベース部材とマウントリングの間の上記相対回転を規制するフリクションを付与する付勢部材；
を備え、
上記撮像光学系の光軸方向の位置調整を行うとき、上記スペーサーが占める光軸方向幅を変化させると共に、該スペーサーにおける光軸方向幅の変化に応じて上記ネジ螺合部の螺合量を変化させ、上記マウントリングに対する上記マウント固定リングの光軸方向位置を変化させずに上記ベース部材の光軸方向位置のみ変化させることを特徴とするレンズ鏡筒の位置調整機構。
【発明の詳細な説明】
【技術分野】
【０００１】
本発明はレンズ鏡筒の位置調整機構に関し、特に撮像面に対する光軸方向位置を調整させるフランジバック調整機構に関する。
【背景技術】
【０００２】
CCTV(Closed-circuit Television)カメラ用のレンズ鏡筒では、カメラ本体部に取り付けた状態で、光軸を中心とした回転方向へのレンズ鏡筒の角度調整を可能としたタイプが多用されている。この角度調整機構は、撮像光学系を支持するベース部材を、カメラ本体部に対して固定されるマウントリングに対して相対回転可能に支持させ、通常使用状態では、光軸方向への付勢力によって両者の間にフリクション（摩擦係合）を与えて相対回転を規制しておくという構造が多い。そして、レンズ鏡筒の角度調整を行うときには、このフリクションに抗して回転方向の力を与える。
【先行技術文献】
【特許文献】
【０００３】
【特許文献１】特開２０００−６９３４７号公報
【発明の概要】
【発明が解決しようとする課題】
【０００４】
以上のようなマウント部分で角度調整を可能としたレンズ鏡筒において、撮像面に対する光学系全体の光軸方向位置調整、すなわちフランジバック調整を行うと、前述した付勢部材の負荷が変動して角度調整時のトルクが変化し、操作感が損なわれるおそれがあった。具体的には、次のような構造下においてこの問題が生じていた。まず、撮像光学系を支持するベース部材とマウントリングの間に挿入したワッシャバネなどの付勢部材によって光軸方向（前後いずれか）に付勢されている。ベース部材にはマウント固定リングが締結され、このマウント固定リングがマウントリングに係合することによって、付勢部材の付勢方向への移動端を定める。マウント固定リングとベース部材の間には、互いの光軸方向間隔を定める調整ワッシャなどのスペーサーが挟まれていて、このスペーサーを厚みの異なるものに換装することによってベース部材の光軸方向位置が変化（調整）される。そして、ベース部材の光軸方向位置が変化すると、該ベース部材とマウントリングにおける付勢部材の当接面の間隔が変化してしまい、その結果、付勢部材の荷重が変動してしまう。
【０００５】
本発明は以上の問題点を解消すべくなされたものであり、簡単な構造でありながら、光軸方向の位置調整を起因とした角度調整時のトルク変動が生じず、調整操作性に優れたレンズ鏡筒の位置調整機構を提供することを目的とする。
【課題を解決するための手段】
【０００６】
本発明のレンズ鏡筒の位置調整機構は、カメラ本体部に固定されるマウントリング；撮像光学系を支持し、マウントリングに対して相対回転可能かつ光軸方向に移動可能に支持されたベース部材；ベース部材との間に光軸方向へ離間する対をなす対向部を形成し、該対向部の間にマウントリングに設けた光軸方向位置基準部を位置させる押さえ部材；ベース部材と押さえ部材を、対をなす対向部の光軸方向間隔を調整可能に結合させる可変結合手段；押さえ部材とマウントリングの間に光軸方向に弾性変形可能に挿入され、該マウントリングの光軸方向位置基準部に対して対をなす対向部のいずれか一方を接近させるように押さえ部材とベース部材の結合体を光軸方向に付勢して、ベース部材とマウントリングの間の相対回転を規制するフリクションを付与する付勢部材；を備え、撮像光学系の光軸方向の位置調整を行うとき、可変結合手段によって、マウントリングに対して押さえ部材の光軸方向位置を変化させずにベース部材の光軸方向位置のみ変化させることを特徴としている。
【０００７】
可変結合手段の具体的構成として、ベース部材と押さえ部材の間に挟持されて、上記対をなす対向部の光軸方向間隔を定めるスペーサーと、光軸を中心とする相対回転によってベース部材と押さえ部材に光軸方向の相対位置変化を生じさせるネジ螺合部とを有し、撮像光学系の光軸方向の位置調整を行うとき、板厚の異なるスペーサーへの換装またはスペーサーの枚数変更によってスペーサーが占める光軸方向幅を変化させると共に、該スペーサーにおける光軸方向幅の変化に応じてネジ螺合部の螺合量を変化させるようにするとよい。光軸に対する倒れなどを防いで高精度な位置決めを達成するべく、このスペーサーと付勢部材はそれぞれ、光軸を中心とした環状体からなることが好ましい。
【０００８】
より具体的には、第１の形態として次のような構成が可能である。まず、マウントリングの光軸方向位置基準部は、前後に光軸直交平面を有する第１のフランジ部からなり、ベース部材は、該第１のフランジ部の光軸方向前方に対向して位置する第２のフランジ部を有する。押さえ部材は、マウント固定リングとマウントスペースリングの２パートからなり、マウント固定リングは、マウントリングの第１のフランジ部の光軸方向後面に当接する第３のフランジ部を有し、ベース部材に対してネジ螺合部を介して支持される。一方、マウントスペースリングは、マウントリングの第１のフランジ部とベース部材の第２のフランジ部との間に位置する第４のフランジ部を有し、マウント固定リングの第３フランジ部に当接して該マウント固定リングとの光軸方向の相対位置が一定に保たれる。そして、ベース部材の第２のフランジ部とマウントスペースリングの第４のフランジ部の間にスペーサーが挟着される。また、マウントリングの第１のフランジ部とマウントスペースリングの第４のフランジ部の間に付勢部材が挟着され、該付勢部材の付勢力により、ベース部材、マウントスペースリング及びマウント固定リングがマウントリングに対して光軸方向前方に向けて付勢される。
【０００９】
また、第２の形態として次のような構成にすることもできる。マウントリングの第１のフランジ部とベース部材の第２のフランジ部については、第１の形態と同様に構成される。押さえ部材がマウント固定リングとマウントスペースリングの２パートからなる点も第１の形態と共通するが、マウント固定リングに設ける第３のフランジ部は、マウントリングの第１のフランジ部に対して直接当接しない状態で光軸方向後方に位置され、該第１のマウント部と第３のフランジ部の間に付勢部材が挟着される。マウントスペースリングは、マウントリングの第１のフランジ部とベース部材の第２のフランジ部との間に第４のフランジ部を位置させ、この第４のフランジ部を第１のフランジ部に当接させて光軸方向後方への移動が規制される。また、マウントスペースリングは、マウント固定リングの第３のフランジ部に当接して該マウント固定リングとの光軸方向の相対位置が一定に保たれる。そして、ベース部材の第２のフランジ部とマウントスペースリングの第４のフランジ部の間にスペーサーが挟着される。付勢部材の付勢力により、ベース部材、マウントスペースリング及びマウント固定リングがマウントリングに対して光軸方向後方に向けて付勢される。
【００１０】
また、第３の形態として次のような構成することもできる。まず、マウントリングの光軸方向位置基準部は、前後に光軸直交平面を有する第１のフランジ部からなり、ベース部材は、該第１のフランジ部の光軸方向前方に対向して位置する第２のフランジ部を有する。押さえ部材は、ベース部材に対してネジ螺合部を介して支持されたマウント固定リングからなり、ベース部材の第２のフランジ部の光軸方向後面に対向する第３のフランジ部と、マウントリングの第１のフランジ部の光軸方向後面に対向する第４のフランジ部を有する。そして、ベース部材の第２のフランジ部と、マウントリングの第１のフランジ部及びマウント固定リングの第３のフランジ部との間にスペーサーが挟着される。また、マウントリングの第１のフランジ部とマウント固定リングの第４のフランジ部の間に付勢部材が挟着され、該付勢部材の付勢力により、ベース部材及びマウント固定リングがマウントリングに対して光軸方向前方に向けて付勢される。
【００１１】
また、本発明のレンズ鏡筒の位置調整機構は、カメラ本体部に固定されるマウントリング；撮像光学系を支持し、マウントリングに対して相対回転可能かつ光軸方向に移動可能に支持されたベース部材；ベース部材に対してネジ螺合部を介して光軸方向に位置調整可能に結合され、マウントリングに設けた光軸方向位置基準部に対して光軸方向後方から当接するマウント固定リング；マウント固定リングに当接して該マウント固定リングに対する光軸方向後方への相対移動が規制されたマウントスペースリング；マウントスペースリングとベース部材の間に挟着され、ベース部材に対するマウントスペースリングの光軸方向前方への相対移動を規制するスペーサー；マウントスペースリングとマウントリングの間に光軸方向に弾性変形可能に挿入され、該マウントリングに対してマウントスペースリング、ベース部材及びマウント固定リングを光軸方向前方に付勢して、ベース部材とマウントリングの間の相対回転を規制するフリクションを付与する付勢部材；を備え、撮像光学系の光軸方向の位置調整を行うとき、スペーサーが占める光軸方向幅を変化させると共に、該スペーサーにおける光軸方向幅の変化に応じてネジ螺合部の螺合量を変化させ、マウントリングに対するマウント固定リング及びマウントスペースリングの光軸方向位置を変化させずにベース部材の光軸方向位置のみ変化させることを特徴としている。
【００１２】
また、本発明のレンズ鏡筒の位置調整機構は、カメラ本体部に固定されるマウントリング；撮像光学系を支持し、マウントリングに対して相対回転可能かつ光軸方向に移動可能に支持されたベース部材；ベース部材に対してネジ螺合部を介して光軸方向に位置調整可能に結合されたマウント固定リング；マウントリングに設けた光軸方向位置基準部に対して光軸方向前方から当接し、かつマウント固定リングに当接して該マウント固定リングに対する光軸方向後方への相対移動が規制されたマウントスペースリング；マウントスペースリングとベース部材の間に挟着され、ベース部材に対するマウントスペースリングの光軸方向前方への相対移動を規制するスペーサー；マウントリングとマウント固定リングの間に光軸方向に弾性変形可能に挿入され、該マウントリングに対してマウントスペースリング、ベース部材及びマウント固定リングを光軸方向後方に付勢して、ベース部材とマウントリングの間の上記相対回転を規制するフリクションを付与する付勢部材；を備え、撮像光学系の光軸方向の位置調整を行うとき、スペーサーが占める光軸方向幅を変化させると共に、該スペーサーにおける光軸方向幅の変化に応じてネジ螺合部の螺合量を変化させ、マウントリングに対するマウント固定リング及びマウントスペースリングの光軸方向位置を変化させずにベース部材の光軸方向位置のみ変化させることを特徴としている。
【００１３】
また、本発明のレンズ鏡筒の位置調整機構は、カメラ本体部に固定されるマウントリング；マウントリングに設けた光軸方向位置基準部に対して光軸方向前方から当接するスペーサー；撮像光学系を支持し、マウントリングに対して相対回転可能かつ光軸方向に移動可能に支持され、スペーサーに対して光軸方向前方から当接するベース部材；ベース部材に対してネジ螺合部を介して光軸方向に位置調整可能に結合され、スペーサーに対して光軸方向後方から当接するマウント固定リング；マウント固定リングとマウントリングの間に光軸方向に弾性変形可能に挿入され、該マウントリングに対してマウント固定リング及びベース部材を光軸方向後方に付勢して、ベース部材とマウントリングの間の相対回転を規制するフリクションを付与する付勢部材；を備え、撮像光学系の光軸方向の位置調整を行うとき、スペーサーが占める光軸方向幅を変化させると共に、該スペーサーにおける光軸方向幅の変化に応じてネジ螺合部の螺合量を変化させ、マウントリングに対するマウント固定リングの光軸方向位置を変化させずにベース部材の光軸方向位置のみ変化させることを特徴としている。
【発明の効果】
【００１４】
以上の本発明によれば、撮像光学系を支持したベース部材の光軸方向位置を変化させても、フリクション付与用の付勢部材を間に保持する２部材の光軸方向位置は変化されないため、光軸方向の位置調整を起因とした角度調整時のトルク変動が生じず、調整操作性に優れたレンズ鏡筒の位置調整機構が得られる。また、この位置調整機構は、従来のレンズ鏡筒における角度調整可能なマウント構造部とほぼ同程度の部品点数で構成することができ、構造も簡単である。
【図面の簡単な説明】
【００１５】
【図１】本発明の第１の実施形態に係るレンズ鏡筒の上半を断面とした側面図である。
【図２】同レンズ鏡筒のマウント部分付近を拡大した断面図である。
【図３】同レンズ鏡筒を構成する後部化粧リングの前方斜視図である。
【図４】同レンズ鏡筒を構成する後部化粧リングの後方斜視図である。
【図５】同レンズ鏡筒を構成するマウント固定リングの前方斜視図である。
【図６】同レンズ鏡筒を構成するマウント固定リングの後方斜視図である。
【図７】同レンズ鏡筒を構成するマウントリングの前方斜視図である。
【図８】同レンズ鏡筒を構成するマウントリングの後方斜視図である。
【図９】同レンズ鏡筒を構成するマウントスペースリングの前方斜視図である。
【図１０】同レンズ鏡筒を構成するマウントスペースリングの後方斜視図である。
【図１１】本発明の第２の実施形態に係るレンズ鏡筒の上半を断面とした側面図である。
【図１２】同レンズ鏡筒のマウント部分付近を拡大した断面図である。
【図１３】本発明の第２の実施形態に係るレンズ鏡筒のマウント部分付近を拡大した断面図である。
【発明を実施するための形態】
【００１６】
図１は、本発明による位置調整機構を適用したレンズ鏡筒１０の全体構造を示している。レンズ鏡筒１０はCCTVカメラ用の変倍レンズ鏡筒であり、その撮像光学系の光学要素として前群レンズＬ１、絞り羽根Ｓ、後群レンズＬ２を有している。以下の説明では、この撮像光学系の光軸Ｏに沿う方向を光軸方向と呼び、被写体側を前方、像面側を後方と呼ぶ。
【００１７】
レンズ鏡筒１０は、撮像光学系全体を支持するベース部材である固定枠１１を有する。固定枠１１には、前群レンズＬ１を保持する前群保持枠１２と後群レンズＬ２を保持する後群保持枠１３をそれぞれ光軸方向に直進案内する直進案内溝が形成されている。固定枠１１は、光軸方向前方に位置する大径筒部１１ａと、大径筒部１１ａよりも小径で光軸方向後方に位置する小径筒部１１ｂを備え、大径筒部１１ａの内側には、前群保持枠１２（前群レンズＬ１）の光軸方向移動を制御するカム溝が形成された前方カム環１４が回転可能に支持され、小径筒部１１ｂの外側には、後群保持枠１３（後群レンズＬ２）の光軸方向移動を制御するカム溝が形成された後方カム環１５が回転可能に支持されている。前方カム環１４と後方カム環１５は、変倍操作レバー１７を支持ずる変倍リング１６の回転操作によって一体的に回転され、該回転によって前群保持枠１２（前群レンズＬ１）と後群保持枠１３（後群レンズＬ２）をそれぞれのカム溝によって所定の軌跡で光軸方向へ移動させ、これにより焦点距離が変化される。また、前方カム環１４は、大径筒部１１ａの外側にフォーカスネジ１９を介して支持されたフォーカスリング２０に対して、相対回転可能かつ光軸方向に一体化されている。フォーカスレバー２１を介してフォーカスリング２０を回転操作すると、フォーカスネジ１９に従って、フォーカスリング２０と前方カム環１４が光軸方向に移動され、前方カム環１４と共に前群保持枠１２（前群レンズＬ１）も光軸方向へ移動される。これによりフォーカシングが行われる。絞り羽根Ｓを備える自動絞りメーター２２は、固定枠１１の大径筒部１１ａと小径筒部１１ｂの間に形成したスリット部１１ｃ内に挿入支持されている。よって、レンズ鏡筒１０の撮像光学系を構成する光学要素と、これら光学要素の支持及び駆動に関係する部材は全て、最終的に固定枠１１によって支持されている。
【００１８】
固定枠１１に対して、固定ネジ２５を介して中継固定リング２６が固定されている。中継固定リング２６は後方カム環１５の外側を囲む環体形状をなし、該中継固定リング２６の後部にさらに、固定ネジ２７を介して後部化粧リング２８が固定されている。すなわち、固定枠１１、中継固定リング２６及び後部化粧リング２８は一体化された関係にあり、固定枠１１に加えて中継固定リング２６と後部化粧リング２８も、撮像光学系全体を支持するベース部材を構成している。レンズ鏡筒１０の後端部には、図示しないカメラ本体部のボディマウントに螺合固定可能なマウントリング３０が設けられ、該マウントリング３０と後部化粧リング２８の間に、マウントリング３０に対するレンズ鏡筒１０全体の光軸方向の位置調整及び光軸中心の回転方向への角度調整を許容した支持構造が備えられている。図２以下を主に参照して、この支持構造について説明する。
【００１９】
図３及び図４に示すように、後部化粧リング２８は、固定ネジ２７を挿通させる３つのネジ挿通穴２８ｆを有する環状の前方フランジ部（ベース部材側の対向部、第２のフランジ部）２８ａと、前方フランジ部２８ａの外径部分から後方に突出する外側円筒部２８ｂと、前方フランジ部２８ａの内径部分から後方に突出して後方カム環１５の外側を囲む内側円筒部２８ｃと、内側円筒部２８ｃの後端部から内径方向に向けて突出形成した環状の後方フランジ部２８ｄを有している。後方フランジ部２８ｄの内周部が、固定枠１１の小径筒部１１ｂの外周面上に支持されることによって、後部化粧リング２８は固定枠１１に対して同心状に位置されている。
【００２０】
後部化粧リング２８の外側円筒部２８ｂの外周部には調整ネジ（可変結合手段、ネジ螺合部）２８ｅが形成され、図２に示すように、この調整ネジ２８ｅに対してマウント固定リング（押さえ部材）２９に形成した調整ネジ（可変結合手段、ネジ螺合部）２９ｃが螺合している。図５及び図６に示すように、マウント固定リング２９は、内周面に調整ネジ２９ｃが形成された円筒部２９ａと、この円筒部２９ａの後端部から内径方向に向けて突出形成した環状の後方フランジ部（押さえ部材側の対向部、第３のフランジ部）２９ｂを有している。
【００２１】
図２に示すように、後部化粧リング２８の内側円筒部２８ｃの外周面上には、マウントリング３０が支持されている。マウントリング３０は、調整ワッシャ（可変結合手段、スペーサー）３１、マウントスペースリング（押さえ部材）３２及びマウントバネ（付勢部材）３３と共に、後部化粧リング２８の前方フランジ部２８ａとマウント固定リング２９の後方フランジ部２９ｂ間に挟まれて保持されている。
【００２２】
詳細には、図７及び図８に示すように、マウントリング３０の前端部には、外径方向に突出する環状の前方フランジ部（光軸方向位置基準部、第１のフランジ部）３０ａが設けられ、前方フランジ部３０ａの後面が、マウント固定リング２９の後方フランジ部２９ｂの前面に当て付いている。この前方フランジ部３０ａと後方フランジ部２９ｂの当接面はいずれも光軸Ｏと直交する平面である。また、前方フランジ部３０ａの内径部から後方に向けて円筒部３０ｂが突出され、この円筒部３０ｂの内周面が、後部化粧リング２８の内側円筒部２８ｃの外周面上に支持されている（図２）。後部化粧リング２８とマウントリング３０の関係に限れば、この内側円筒部２８ｃの外周面と円筒部３０ｂの内周面の間は、光軸方向の相対移動と、光軸Ｏを中心とする相対回転を許容した摺接関係を有しているが、以下に説明する構造によって、レンズ鏡筒１０の通常の使用状態では、後部化粧リング２８とマウントリング３０の光軸方向の相対移動及び相対回転が規制される。なお、マウントリング３０には、円筒部３０ｂの外周面にマウントネジ３０ｃが形成され、このマウントネジ３０ｃを、カメラの本体部に設けたボディ側マウントのネジ（不図示）に螺合させることによって、カメラ本体部に対して固定される。
【００２３】
図９及び図１０に示すように、マウントスペースリング３２は、環状の前方フランジ部（第４のフランジ部）３２ａと、前方フランジ部３２ａの外径部から後方に向けて突出された円筒部３２ｂを有する。図２に示すように、マウントスペースリング３２の前方フランジ部３２は、光軸方向において、後部化粧リング２８の前方フランジ部２８ａの後面とマウントリング３０の前方フランジ部３０ａの前面の間に位置している。また、円筒部３２ｂの後端部がマウント固定リング２９の後方フランジ部２９ｂに対して当接可能である。この円筒部３２ｂはさらに、鏡筒の半径方向には、後部化粧リング２８の外側円筒部２８ｂと、マウントリング３０の前方フランジ部３０ａの外周部の間に位置している。
【００２４】
調整ワッシャ３１は、光軸Ｏを略中心とする環状体からなり、後部化粧リング２８の前方フランジ部２８ａの後面と、マウントスペースリング３２の前方フランジ部３２ａの前面の間に挟まれる。この前方フランジ部２８ａ、３２ａにおける調整ワッシャ３１の挟着面はいずれも光軸Ｏと直交する平面である。調整ワッシャ３１と同様にマウントバネ３３も光軸Ｏを略中心とする環状をなし、マウントスペースリング３２の前方フランジ部３２の後面と、マウントリング３０の前方フランジ部３０ａの前面の間に挿入される。この前方フランジ部３２ａ、３０ａにおけるマウントバネ３３の当接面は、いずれも光軸Ｏと直交する平面である。マウントバネ３３は、光軸方向へ弾性変形可能なウエーブワッシャなどから構成され、マウントリング３０とマウントスペースリング３２を光軸方向において互いに離間させる方向の付勢力を与える。すなわち、カメラ本体部に固定されたマウントリング３０に対してマウントスペースリング３２を前方（図２中の左方）に向けて押圧し、調整ワッシャ３１を介して後部化粧リング２８にも前方への付勢力が作用する。ここで、調整ネジ２８ｅ、２９ｃを介して後部化粧リング２８と結合されたマウント固定リング２９は、後方フランジ部２９ｂが前方フランジ部３０ａに当て付くことでマウントリング３０に対する前方移動が規制される。つまり、後部化粧リング２８、マウント固定リング２９、調整ワッシャ３１及びマウントスペースリング３２はそれぞれ、マウントバネ３３の付勢力により、マウントリング３０に対して図２に示す光軸方向位置に保持される。そして、後部化粧リング２８とマウントリング３０の間は、前述のように相対回転が許容された支持構造になっているが、特別な外力を与えない状態では、マウントバネ３３の押し付け力で得られるフリクション（摩擦係合）によって、マウントリング３０に対する後部化粧リング２８とマウント固定リング２９の角度位置が一定に保たれる。つまり、マウントリング３０からマウント固定リング２９、後部化粧リング２８、中継固定リング２６及び固定枠１１までが、レンズ鏡筒１０の通常の使用状態でカメラ本体部に対して固定的に支持される部分となる。
【００２５】
以上の構成のレンズ鏡筒１０において、光軸Ｏを中心とした回転方向の角度調整を行う場合、カメラ本体部に対して鏡筒全体を光軸方向後方（カメラ本体部側）に押し込む。この押し込み力は、固定枠１１の後部に結合された後部化粧リング２８とマウント固定リング２９を図２の右方に変位させる力として作用する。マウント固定リング２９は、図２の左方（光軸方向前方）へはマウントリング３０の前方フランジ部３０ａによって移動規制されているが、右方への移動は規制されていないため、押し込み力によって、マウントバネ３３の付勢力に抗して（マウントバネ３３を圧縮させながら）、マウントリング３０を除くレンズ鏡筒１０の全体が後方へ移動される。すると、後部化粧リング２８及びマウント固定リング２９とマウントリング３０との間のフリクション結合が解消されるため、後方への押し込みを維持しつつ回転方向の力を与えることで、レンズ鏡筒１０のベース部材を構成する後部化粧リング２８や固定枠１１の角度調整を行うことができる。角度調整が完了したら、レンズ鏡筒１０に対する光軸方向後方への押し込みを解除する。すると、マウントバネ３３の付勢力によって、マウントリング３０に対して後部化粧リング２８及びマウント固定リング２９がフリクション結合する角度固定状態に復帰する。
【００２６】
レンズ鏡筒１０においては、撮像面に対する撮像光学系全体の光軸方向位置を変化させる、いわゆるフランジバック調整も可能である。このフランジバック調整に際しては、後部化粧リング２８とマウントスペースリング３２の間に挿入される調整ワッシャ３１が占める光軸方向幅（厚み）を変化させる。例えば、図２の状態よりも前方（被写体側）へ撮像光学系を変位させる場合、図２よりも厚い（板厚が大きい）調整ワッシャ３１に換装する。あるいは、挿入する調整ワッシャ３１の枚数を増やしてもよい。すなわち、挿入する枚数に関わりなく、挿入される調整ワッシャ３１全体が占める光軸方向幅を増大させる。後部化粧リング２８は、マウント固定リング２９の後方フランジ部２９ｂとマウントリング３０の前方フランジ部３０ａの係合により前方への移動が規制されており、単に調整ワッシャ３１を換装したり枚数を増やしたりするだけでは後部化粧リング２８を前方に変位させることができないので、この調整ワッシャ３１が占める光軸方向幅（厚さ）の変化に応じて調整ネジ２８ｅ、２９ｃの螺合量を変化させて、マウント固定リング２９に対して後部化粧リング２８を前方へ相対移動させる。具体的な作業としては、挿入された厚肉の（もしくは枚数を増やした）調整ワッシャ３１を後部化粧リング２８とマウントスペースリング３２の前方フランジ部２８ａ、３２ａによって遊びなく確実に挟着させる状態まで、調整ネジ２８ｅ、２９ｃが締め込まれる。以上の作業により、マウント固定リング２９に対して、後部化粧リング２８及びその前部に固定された固定枠１１の光軸方向位置が前方に変化する。すなわち、撮像光学系の後端を撮像面から離間させる方向（前方）へのフランジバック調整が行われたことになる。逆に、撮像光学系を撮像面に接近させる方向（後方）へのフランジバック調整では、挿入する調整ワッシャ３１を薄いものにするか、挿入する調整ワッシャ３１の枚数を減らすかして、調整ワッシャ３１が占める光軸方向幅を小さくさせる。そして、この調整ワッシャ３１を後部化粧リング２８とマウントスペースリング３２前方フランジ部２８ａ、３２ａによって遊びなく確実に挟着させる位置まで調整ネジ２８ｅ、２９ｃを締め込むと、マウント固定リング２９に対して、後部化粧リング２８及びその前部に固定された固定枠１１の光軸方向位置が後方に変化する。
【００２７】
以上のレンズ鏡筒１０のフランジバック調整に際して、固定枠１１や後部化粧リング２８の光軸方向位置は変化するが、前述のようにマウント固定リング２９の光軸方向位置は変化しない。マウントスペースリング３２は、マウント固定リング２９の後方フランジ部２９ｂに当て付いて後方への移動が規制されており、かつ前方への移動は調整ワッシャ３１に当て付くことで規制されている（調整ワッシャ３１の厚みを変えても、その後面側の位置は変化しない）。そのため、マウントスペースリング３２の光軸方向位置も変化しない。そして、マウントバネ３３は、この光軸方向位置の変化しないマウントスペースリング３２とマウントリング３０の間に支持されているので、フランジバック調整を行ってもマウントバネ３３による負荷は変化せず一定に保たれる。したがって、レンズ鏡筒１０における角度調整時の操作トルクがフランジバック調整の影響で変化してしまうことがなく、優れた調整作業性を得ることができる。なお、この実施形態のレンズ鏡筒１０は、角度調整に際してカメラ本体部側に押し込みながら回転させるという操作態様であるため、力を加えやすく、この点でも調整作業性に優れている。
【００２８】
図１１及び図１２は、本発明の第２の実施形態に係るレンズ鏡筒１１０を示している。このレンズ鏡筒１１０で特に言及しない部分については、既述の第１の実施形態のレンズ鏡筒１０と共通する構造を備えているものとし、重複部分の説明は省略する。第１の実施形態では、マウントスペースリング３２の前方フランジ部３２ａとマウントリング３０の前方フランジ部３０ａの間にマウントバネ３３が挟持されているのに対し、この第２の実施形態では、マウントリング３０の前方フランジ部（光軸方向位置基準部、第１のフランジ部）１３０ａとマウント固定リング２９の後端フランジ部（押さえ部材側の対向部、第３のフランジ部）１２９ｂの間にマウントバネ１３３が挟持されている点が相違する。マウントリング３０の前方フランジ部１３０ａの前面に対して、マウントスペースリング３２の前方フランジ部（第４のフランジ部）１３２ａの後面が当接することで、マウントリング３０に対するマウントスペースリング３２の後方への移動が規制される。前方フランジ部１３０ａの前面と前方フランジ部１３２ａの後面は、いずれも光軸Ｏと直交する平面である。マウントスペースリング３２の前方フランジ部１３２ａの前面と、後部化粧リング２８の前方フランジ部（ベース部材側の対向部、第２のフランジ部）１２８ａの後面の間に調整ワッシャ３１が挟まれる。また、マウント固定リング２９の後端フランジ部１２９ｂの前面に対して、マウントスペースリング３２の円筒部３２ｂの後端部が当接する。以上の構成において、マウントリング３０の前方フランジ部１３０ａによってマウントスペースリング３２の後方移動が規制されることにより、調整ワッシャ３１を挟んで該マウントスペースリング３２の前方に位置する後部化粧リング２８と、該後部化粧リング２８と螺合するマウント固定リング２９の後方移動も規制される。
【００２９】
マウントバネ１３３を挟む前方フランジ部１３０ａの後面と後端フランジ部１２９ｂの前面も光軸Ｏと直交する平面であり、マウントバネ１３３によって互いに離間する方向への付勢力を受ける。すなわち、マウントバネ１３３は、カメラ本体部に固定されるマウントリング３０に対してマウント固定リング２９を後方（図１２中の右方）に向けて押圧し、調整ネジ２８ｅ、２９ｃを介して該マウント固定リング２９とねじ結合された後部化粧リング２８にも後方への付勢力が作用する。すると、調整ワッシャ３１を介してマウントスペースリング３２が後方へ押圧され、マウントスペースリング３２は、前方フランジ部１３２ａが前方フランジ部１３０ａに当て付き、前述した通り、該前方フランジ部１３０ａによって後方移動が規制される。つまり、後部化粧リング２８、マウント固定リング２９、調整ワッシャ３１及びマウントスペースリング３２はそれぞれ、マウントバネ１３３の付勢力により、マウントリング３０に対して図１２に示す光軸方向位置に保持される。特別な外力を与えない状態では、マウントバネ１３３の押し付け力で得られるフリクション（摩擦係合）によって、マウントリング３０に対する後部化粧リング２８とマウント固定リング２９の角度位置が一定に保たれる。
【００３０】
レンズ鏡筒１１０において、光軸Ｏを中心とした回転方向の角度調整を行う場合、カメラ本体部に対して鏡筒全体を光軸方向前方に引っ張る。この引っ張り力は、固定枠１１の後部に結合された後部化粧リング２８とマウント固定リング２９を図１２の左方に変位させる力として作用する。マウント固定リング２９は、同図の右方（光軸方向後方）へは、調整ワッシャ３１とマウントスペースリング３２を挟んでマウントリング３０の前方フランジ部１３０ａによって移動規制されているが、マウントリング３０に対する左方（光軸方向前方）への移動は許容されているため、引っ張り力によって、マウントバネ１３３の付勢力に抗して（マウントバネ１３３を圧縮させながら）、マウントリング３０を除くレンズ鏡筒１１０の全体が前方へ移動される。すると、マウントスペースリング３２（及び後部化粧リング２８、マウント固定リング２９）とマウントリング３０との間のフリクション結合が解消されるため、前方への引っ張りを維持しつつ回転方向の力を与えることで、レンズ鏡筒１１０のベース部材を構成する後部化粧リング２８や固定枠１１の角度調整を行うことができる。角度調整が完了したら、レンズ鏡筒１１０に対する光軸方向前方への引っ張りを解除する。すると、マウントバネ１３３の付勢力によって、マウントリング３０に対して後部化粧リング２８、マウント固定リング２９及びマウントスペースリング３２がフリクション結合する角度固定状態に復帰する。
【００３１】
レンズ鏡筒１１０では、先に説明したレンズ鏡筒１０と同様に、調整ワッシャ３１が占める光軸方向幅（厚み）を変化させ、これに応じて調整ネジ２８ｅ、２９ｃの螺合量を変化させることによってフランジバック調整を行うことが可能である。マウントスペースリング３２は、前方フランジ部１３２ａをマウントリング３０の前方フランジ部１３０ａに当て付けることで後方への移動が規制されており、かつ前方への移動は調整ワッシャ３１に当て付くことで規制されているため、フランジバック調整を行っても、マウントスペースリング３２の光軸方向位置は変化しない。また、マウント固定リング２９は、後端フランジ部１２９ｂをマウントスペースリング３２の円筒部３２ｂに当接させることで、同様に光軸方向位置が一定に保たれる。マウントバネ１３３は、この光軸方向位置の変化しないマウント固定リング２９とマウントリング３０の間に支持されているので、フランジバック調整を行ってもマウントバネ１３３による負荷は変化しない。
【００３２】
図１３は、本発明の第３の実施形態に係るレンズ鏡筒４０のマウント部付近を示している。レンズ鏡筒４０の撮像光学系は、図１３に現れている後群レンズＬ２′と、後群レンズＬ２′の前方に位置する前群レンズ（不図示）を有している。固定枠４１は、第１及び第２の実施形態の固定枠１１や後部化粧リング２８に相当するベース部材であり、前群レンズと後群レンズＬ２′を含む撮像光学系の構成要素は全て、最終的に固定枠４１に支持されている。具体的には、固定枠４１は、撮像光学系の光軸Ｏを囲む円筒部４１ａと、該円筒部４１ａから外径方向に突出する環状の外径フランジ部（ベース部材側の対向部、第２のフランジ部）４１ｂを有し、円筒部４１ａの内周面に、後群保持枠４２に対して螺合するヘリコイド部４１ｃが形成されている。後群保持枠４２は、図示を省略した回転伝達部材によって光軸Ｏを中心とする回転力が与えられ、回転されるとヘリコイド部４１ｃに従って光軸方向に移動される。
【００３３】
固定枠４１の外径フランジ部４１ｂの外周部には調整ネジ（可変結合手段、ネジ螺合部）４１ｄが形成され、この調整ネジ４１ｄに対してマウント固定リング（押さえ部材）４４に形成した調整ネジ（可変結合手段、ネジ螺合部）４４ｄが螺合している。マウント固定リング４４は、内周面に調整ネジ４４ｄが形成された円筒部４４ａと、円筒部４４ａの後部に位置し該円筒部４４ａよりも内径方向に突出する中間フランジ部（第３のフランジ部）４４ｂと、中間フランジ部４４ｂの後方に位置し該中間フランジ部４４ｂよりもさらに内径方向に突出する後方フランジ部（押さえ部材側の対向部、第４のフランジ部）４４ｃを有している。
【００３４】
固定枠４１の円筒部４１ａの後端部付近の外周面上には、マウントリング４５が支持されている。マウントリング４５の前端部には、外径方向に突出する環状の前方フランジ部（光軸方向位置基準部、第１のフランジ部）４５ａが設けられ、前方フランジ部４５ａの後面が、マウント固定リング４４の後方フランジ部４４ｃの前面に対向している。また、前方フランジ部４５ａの内径部から後方に向けて円筒部４５ｂが突出され、この円筒部４５ｂの内周面が、固定枠４１の円筒部４１ａの外周面上に支持されている。固定枠４１とマウントリング４５の関係に限れば、この円筒部４１ａの外周面と円筒部４５ｂの内周面の間は、光軸方向の相対移動と、光軸Ｏを中心とする相対回転を許容した摺接関係を有しているが、以下に説明するように、レンズ鏡筒４０の通常の使用状態では、固定枠４１とマウントリング４５の光軸方向の相対移動及び相対回転が規制される。なお、マウントリング４５には、円筒部４５ｂの外周面にマウントネジ４５ｃが形成され、このマウントネジ４５ｃを、カメラの本体部に設けたボディ側マウントのネジ（不図示）に螺合させることによって、カメラ本体部に対して固定される。
【００３５】
マウントリング４５の前方フランジ部４５ａ及びマウント固定リング４４の中間フランジ部４４ｂの前面と、固定枠４１の外径フランジ部４１ｂの後面との間に調整ワッシャ（可変結合手段、スペーサー）４６が挟着される。調整ワッシャ４６に対するこれらの挟着面は全て光軸Ｏと直交する平面であり、マウントリング４５の前方フランジ部４５ａの前面と、マウント固定リング４４の中間フランジ部４４ｂの前面は、互いに光軸方向の同一平面上に位置している（面一である）。調整ワッシャ４６は光軸Ｏを略中心とする環状体からなり、マウントリング４５の前方フランジ部４５ａとマウント固定リング４４の中間フランジ部４４ｂに亘って同時に当接するように、その内周部から外周部までの径方向サイズが設定されている。
【００３６】
また、マウントリング４５の前方フランジ部４５ａの後面と、マウント固定リング４４の後方フランジ部４４ｃの前面の間には、光軸Ｏを略中心とする環状をなすマウントバネ（付勢部材）４７が挿入されている。この前方フランジ部４５ａと後方フランジ部４４ｃにおけるマウントバネ４７の当接面は、いずれも光軸Ｏと直交する平面である。マウントバネ４７は光軸方向へ伸縮可能なウエーブワッシャなどから構成され、マウント固定リング４４とマウントリング４７を光軸方向において互いに離間させる方向の付勢力を与える。すなわち、カメラ本体部に固定されたマウントリング４５に対してマウント固定リング４４を後方（図１１中の右方）に向けて押圧し、調整ネジ４１ｄ、４４ｄを介して結合された固定枠４１にも後方への付勢力が作用する。ここで、マウント固定リング４４は、マウントリング４５の前方フランジ部４５ａに当て付いている調整ワッシャ４６を介して後方への移動が規制される。つまり、固定枠４１とマウント固定リング４４はそれぞれ、マウントバネ４７の付勢力により、マウントリング４５に対して図１１に示す光軸方向位置に保持される。そして、固定枠４１とマウントリング４５は、前述のように相対回転が許容された支持構造になっているが、特別な外力を与えない状態では、マウントバネ４７の押し付け力で得られるフリクション（摩擦係合）によって、マウントリング４５に対する固定枠４１とマウント固定リング４４の角度位置が一定に保たれる。つまり、マウントリング４５からマウント固定リング４４及び固定枠４１までは、レンズ鏡筒４０の通常の使用状態でカメラ本体部に対して固定的に支持される部分となる。
【００３７】
以上の構成のレンズ鏡筒４０において、光軸Ｏを中心とした回転方向の角度調整を行う場合、カメラ本体部に対して鏡筒全体を光軸方向前方に引っ張る。この引っ張り力は、固定枠４１とマウント固定リング４４を図１１の左方に変位させる力として作用する。固定枠４１は、図１１の右方（光軸方向後方）へはマウントリング４５の前方フランジ部４５ａによって移動規制されているが、左方への移動は規制されていないため、引っ張り力によって、マウントバネ４７の付勢力に抗して（マウントバネ４７を圧縮させながら）、マウントリング４５を除くレンズ鏡筒４０の全体が後方へ移動される。すると、固定枠４１及びマウント固定リング４４とマウントリング４５との間のフリクション結合が解消されるため、前方への引っ張り状態を維持しつつ回転方向の力を与えることで、レンズ鏡筒４０のベース部分を構成する固定枠４１の角度調整を行うことができる。角度調整が完了したら、レンズ鏡筒４０に対する光軸方向前方への引っ張りを解除する。すると、マウントバネ４７の付勢力によって、調整ワッシャ４６を挟んでマウントリング４５と固定枠４１がフリクション結合する角度固定状態に復帰する。
【００３８】
レンズ鏡筒４０において撮像面に対する撮像光学系全体の光軸方向位置を変化させるフランジバック調整を行う場合、全体として調整ワッシャ４６が占める光軸方向幅を大きくする。例えば、図１１の状態よりも前方（被写体側）へ撮像光学系を変位させる場合、図１１よりも厚い調整ワッシャ４６を挿入するか、挿入する調整ワッシャ４６の枚数を増やす。これによりマウントリング４５に対する固定枠４１の位置が前方に変位されるが、マウント固定リング４４は、中間フランジ部４４ｂが調整ワッシャ４６に当て付くことにより前方への変位が規制される。このとき、調整ネジ４１ｄ、４４ｄの螺合量を変化させることで、マウント固定リング４４の光軸方向の位置を変化させずに、固定枠４１のみ前方へ移動させることができる。これにより、撮像光学系の後端を撮像面から離間させる方向（前方）へのフランジバック調整が行われる。逆に、撮像光学系を撮像面に接近させる方向（後方）へのフランジバック調整では、調整ワッシャ４６を薄いものに換装するか、挿入する調整ワッシャ４６の枚数を減らし、全体として調整ワッシャ４６が占める光軸方向幅を小さくさせる。すると、固定枠４１の外径フランジ部４１ｂがマウントリング４５の前端フランジ部４５ａに接近する。その際に、調整ネジ４１ｄ、４４ｄの螺合量を変化させ、マウント固定リング４４については光軸方向の位置を変化させず、固定枠４１のみを後方へ相対移動させる。
【００３９】
以上のレンズ鏡筒４０のフランジバック調整に際して、固定枠４１の光軸方向位置は変化するが、前述のようにマウント固定リング４４の光軸方向位置は変化しない。そして、マウントバネ４７は、この光軸方向位置の変化しないマウント固定リング４４とマウントリング４５の間に支持されているので、フランジバック調整を行ってもマウントバネ４７による負荷を変化させず一定に保つことができる。したがって、レンズ鏡筒４０における角度調整時の操作トルクがフランジバック調整の影響で変化してしまうことがなく、優れた調整作業性を得ることができる。また、この実施形態のレンズ鏡筒４０は、第１及び第２の実施形態のレンズ鏡筒１０、１１０のマウントスペースリング３２に相当する部材を備えないため、部品点数の少なさという点で優れている。
【００４０】
以上説明した第１の実施形態のレンズ鏡筒１０、第２の実施形態のレンズ鏡筒１１０及び第３の実施形態のレンズ鏡筒４０は、細部において相違するが、以下の共通要素を有している。
１：撮像光学系を支持するベース部材（１１+２６+２８、４１）をマウントリング（３０、４５）に対してフリクション結合させるための付勢部材（３３、１３３、４７）を、ベース部材に直接当接させず、該ベース部材に対して光軸方向位置を調整可能に結合された押さえ部材（２９+３２、４４）と、マウントリングとの間に挿入されている。
２：フランジバック調整時には、マウントリングに対する押さえ部材の光軸方向位置を変化させずに、ベース部材のみを光軸方向に位置変化させる。
これらの共通要素を満たす構成を備えることによって、フランジバック調整を行った場合でも付勢部材の負荷、すなわち角度調整用の操作トルクが変化しない、操作性に優れた位置調整機構が得られる。
【００４１】
なお、以上の各実施形態では、レンズ鏡筒の角度調整時に、光軸方向後方へレンズ鏡筒を押し込んだり、光軸方向前方へレンズ鏡筒を引っ張ったりしてマウントバネ３３、１３３及び４７を圧縮させるものとしたが、これらのマウントバネによるレンズ鏡筒の角度保持は、機械的係合ではなく摩擦抵抗によるものであるため、レンズ鏡筒に対して光軸方向への押し引きを行わずに回転方向の力（摩擦抵抗よりも大きい力）のみ与えて角度調整を行うことも可能である。
【００４２】
以上、図示実施形態に基づき説明したが、本発明はこの実施形態に限定されるものではない。例えば、実施形態のレンズ鏡筒１０、１１０及び４０は焦点距離可変の変倍レンズ鏡筒であるが、本発明は単焦点レンズでも適用が可能である。変倍レンズ鏡筒の場合は、像面位置を変えずに連続的に焦点距離を変化させるズームレンズと、焦点距離の変化に応じて像面位置が変化するバリフォーカルレンズのいずれのタイプにも適用が可能である。また、実施形態はCCTVカメラ用のレンズ鏡筒への適用例であるが、異なるタイプの撮像装置のレンズ鏡筒としても本発明は適用可能である。
【符号の説明】
【００４３】
１０  レンズ鏡筒
１１  固定枠（ベース部材）
１２  前群保持枠
１３  後群保持枠
１４  前方カム環
１５  後方カム環
１６  変倍リング
２０  フォーカスリング
２６  中継固定リング（ベース部材）
２８  後部化粧リング（ベース部材）
２８ａ  前方フランジ部（ベース部材側の対向部、第２のフランジ部）
２８ｂ  外側円筒部
２８ｃ  内側円筒部
２８ｄ  後方フランジ部
２８ｅ  調整ネジ（可変結合手段、ネジ螺合部）
２９  マウント固定リング（押さえ部材）
２９ａ  円筒部
２９ｂ  後方フランジ部（押さえ部材側の対向部、第３のフランジ部）
２９ｃ  調整ネジ（可変結合手段、ネジ螺合部）
３０  マウントリング
３０ａ  前方フランジ部（光軸方向位置基準部、第１のフランジ部）
３０ｂ  円筒部
３０ｃ  マウントネジ
３１  調整ワッシャ（可変結合手段、スペーサー）
３２  マウントスペースリング（押さえ部材）
３２ａ  前方フランジ部（第４のフランジ部）
３２ｂ  円筒部
３３  マウントバネ（付勢部材）
４０  レンズ鏡筒
４１  固定枠（ベース部材）
４１ａ  円筒部
４１ｂ  外径フランジ部（ベース部材側の対向部、第２のフランジ部）
４１ｃ  ヘリコイド部
４１ｄ  調整ネジ（可変結合手段、ネジ螺合部）
４２  後群保持枠
４４  マウント固定リング（押さえ部材）
４４ａ  円筒部
４４ｂ  中間フランジ部（第３のフランジ部）
４４ｃ  後方フランジ部（押さえ部材側の対向部、第４のフランジ部）
４４ｄ  調整ネジ（可変結合手段、ネジ螺合部）
４５  マウントリング
４５ａ  前方フランジ部（光軸方向位置基準部、第１のフランジ部）
４５ｂ  円筒部
４５ｃ  マウントネジ
４６  調整ワッシャ（可変結合手段、スペーサー）
４７  マウントバネ（付勢部材）
１１０  レンズ鏡筒
１２８ａ  前方フランジ部（ベース部材側の対向部、第２のフランジ部）
１２９ｂ  後端フランジ部（押さえ部材側の対向部、第３のフランジ部）
１３０ａ  前方フランジ部（光軸方向位置基準部、第１のフランジ部）
１３２ａ  前方フランジ部（第４のフランジ部）
１３３マウントバネ（付勢部材）
Ｌ１  前群レンズ
Ｌ２  Ｌ２′  後群レンズ
Ｏ  光軸
Ｓ  絞り羽根
【図１】
2010122658.tif 000003
【図２】
2010122658.tif 000004
【図３】
2010122658.tif 000005
【図４】
2010122658.tif 000006
【図５】
2010122658.tif 000007
【図６】
2010122658.tif 000008
【図７】
2010122658.tif 000009
【図８】
2010122658.tif 000010
【図９】
2010122658.tif 000011
【図１０】
2010122658.tif 000012
【図１１】
2010122658.tif 000013
【図１２】
2010122658.tif 000014
【図１３】
2010122658.tif 000015